(57)【要約】【課題】  ユーザがその時の天候に応じて湿度のみを設定することにより、季節や温湿度環境に応じて適切に運転でき、簡単な操作で運転できると共に省エネルギー化が図れる浴室乾燥装置を提供する。【解決手段】  浴室１に浴室１内を換気する浴室換気装置２を設置する。浴室換気装置２には浴室１内の温度を検出する温度センサー５を設ける。浴室換気装置２の操作を行う操作パネル４にはユーザがその時の天候の状態を判断することで湿度を選択して入力する湿度選択スイッチ６を設ける。温度センサー５の検出温度と湿度選択スイッチ６の入力に応じて浴室換気装置２の出力を変化させられる浴室の乾燥運転が行えるようにする。【選択図】        図１
2005156014.tif 000002
【特許請求の範囲】
【請求項１】
浴室に浴室内を換気する浴室換気装置を設置し、浴室換気装置には浴室内の温度を検出する温度センサーを設け、浴室換気装置の操作を行う操作パネルにはユーザがその時の天候の状態を判断することで湿度を選択して入力する湿度選択スイッチを設け、温度センサーの検出温度と湿度選択スイッチの入力に応じて浴室換気装置の出力を変化させられる浴室の乾燥運転が行えるようにしたことを特徴とする浴室乾燥装置。
【発明の詳細な説明】
【技術分野】
【０００１】
本発明は、浴室のかびの発生を抑制するために浴室を換気して乾燥する浴室乾燥装置に関するものである。
【背景技術】
【０００２】
近年、浴室に浴室換気乾燥機を設置し、浴室内の換気をしたり、浴室内の乾燥をしたり、浴室内に干した衣類の乾燥をしたり、浴室内にかびを発生しないうように乾燥（かびシャット）したりすることが行われている（例えば、特許文献１参照）。この浴室換気乾燥機では、操作パネルの乾燥スイッチを押すと浴室内を乾燥したり衣類を乾燥する乾燥モードで運転でき、操作パネルの換気スイッチを押すと換気モードで運転でき、操作パネルのかびシャットスイッチを押すとかびの発生を防止する乾燥を行うかびシャットモードで運転できるようになっている。またこれらのスイッチを操作したときの運転時間はタイマーで設定されるようになっている。
【特許文献１】特開平６−３３５５９８号公報
【発明の開示】
【発明が解決しようとする課題】
【０００３】
ところが、上記従来例にあっては、使用者がそのぞれの運転モードについてタイマーにて運転時間を設定して運転するものであり、季節やその日の温度や環境に応じて自動的に運転できるものではなく使い勝手の悪いものであった。また十分に乾燥されているにも拘わらず、強運転で換気したりすると、過剰な換気量で運転されることも考えられ、省エネルギーの観点からも好ましいものではなかった。
【０００４】
本発明は上記の従来の問題点に鑑みて発明したものであって、ユーザがその時の天候に応じて湿度のみを設定することにより、季節や温湿度環境に応じて適切に運転でき、簡単な操作で運転できると共に省エネルギー化が図れる浴室乾燥装置を提供するにある。
【課題を解決するための手段】
【０００５】
上記課題を解決するために本発明に係る浴室乾燥装置は、浴室１に浴室１内を換気する浴室換気装置２を設置し、浴室換気装置２には浴室１内の温度を検出する温度センサー５を設け、浴室換気装置２の操作を行う操作パネル４にはユーザがその時の天候の状態を判断することで湿度を選択して入力する湿度選択スイッチ６を設け、温度センサー５の検出温度と湿度選択スイッチ６の入力に応じて浴室換気装置２の出力を変化させられる浴室の乾燥運転が行えるようにしたことを特徴とする。
【０００６】
ユーザがそのときの天候の状態を判断することで湿度を選択して入力すると、温度センサーで検知した温度情報と相俟ってそのときの季節や温湿度環境を判定でき、そのときの季節や温湿度環境に応じた適切な出力で浴室換気装置２を運転することができる。これにより湿度選択スイッチ６を選択するという簡単な操作でそのときの季節や温湿度環境に応じた適切な運転ができると共に、過剰な運転することなく省エネルギー化が図れる。
【発明の効果】
【０００７】
本発明は操作パネルの湿度選択スイッチを選択するという簡単な操作だけで、運転時間やモードを設定することなくそのときの季節や湿度環環境に応じた適切な運転ができるという効果があり、しかも過剰な運転をすることなく省エネルギー化が図れるという効果がある。
【発明を実施するための最良の形態】
【０００８】
以下、本発明を添付図面に示す実施形態に基いて説明する。
【０００９】
図１に示すように浴室１内には浴槽１０や洗い場１１を設けてあり、浴室１の浴槽１０の上の天井等に浴室換気装置２を設置してある。この浴室換気装置２は換気扇のようなものでもよいが、本例の場合、浴室換気乾燥機２ａである。浴室１に隣接する室３は本例の場合、洗面室３ａであり、洗面室３ａの壁面には浴室換気乾燥機２ａの操作パネル４を設置してある。浴室換気乾燥機２ａには浴室１内の温度を検知する温度センサー５を設けてある。また浴室換気乾燥機２ａはマイコンを有する制御部８で制御されるようになっており、図２に示す操作パネル４の乾燥スイッチ１２、換気スイッチ１３、暖房スイッチ１４、涼風復スイッチ１５、２４時間換気スイッチ１６、停止スイッチ１７等の操作により制御部８にて下記のように乾燥モード、換気モード、暖房モード、涼風モード、２４時間連続換気モードで運転できるようになっている。
乾燥モード：浴室内に温風を循環、換気して浴室内の乾燥や浴室内に干した衣類を乾燥（ヒータ・オン）
換気モード：浴室内の換気を強・弱２段階の風量で実施（ヒータ・オフ）
暖房モード：浴室内に温風を循環し、浴室を暖房（換気なし、ヒータ・オン）
涼風モード：浴室内に風を循環し、入浴中に涼感を得る（換気なし、ヒータ・オフ）
２４時間連続換気モード：２４時間連続換気（ヒータ・オフ）
本発明では上記のモードに加えてかびの発生の防止をする浴室乾燥を行うかびシャットモードでも運転できるようになっている。かびシャットモードで運転するとき操作パネル４に設けたかびシャットスイッチ７を操作することで運転を行うようになっている。本発明ではかびシャットモードで運転するときユーザがそのときの天気の状態を見てそのときの湿度を湿度選択スイッチ６にて選択して入力できるようになっている。本例の場合、湿度選択スイッチ６はかびシャットスイッチ７と兼用されており、かびシャットスイッチ７を押し操作することで２つのモードに切り替わり、そのときの湿度状態を選択して入力でできるようになっている。つまり、そのときの湿度状態に応じて「曇・雨」（湿度６０％以上）、「晴」（湿度６０％未満）のいずれかが選択可能になっている（スイッチの連続押しで交互に切り替わりＬＥＤで表示できるようになっている。）。また浴室換気乾燥機２ａには浴室１内の温度を検知する温度センサー５を設けてあり、温度センサー５で検出した温度と上記湿度選択スイッチ６で入力した情報とで制御部８により制御してかびシャットモードの運転を行うことができるようになっている。つまり、温度センサー５の検出温度と湿度選択スイッチ６の入力した情報に基いて浴室換気乾燥機２ａの出力を次のように変化させて浴室の乾燥を行うことができるようになっている。
【００１０】
次にこのかびシャットモードの運転制御について図３により具体的に説明する。ユーザがかびシャットモードスイッチ７をオンすると、湿度選択スイッチ６で選択したモードの如何に拘わらず、換気〈強〉で運転を開始する。このとき浴室１の窓とドアは閉じてあり、浴槽１０には風呂蓋を閉めてある。所定時間後（例えば６０分後）の時点で浴室温度は洗面室３ａに近い温度となるので、その時点で洗面室推定温度と、ユーザの選択したモードとの組み合わせにより、適切な運転モード〈１乃至７〉を選択する。
【００１１】
例えば、温度が５℃以下の場合は、「晴」、「曇・雨」の何れにも拘わらず、モード〈１〉が選択され、乾燥２時間運転後、換気〈弱〉の２４時間連続換気に切り替わる。また、温度が１５℃で「晴」が選択されている場合は、モード〈３〉が選択され、換気〈強〉１時間運転後、換気〈弱〉の２４時間連続換気に切り替わる。また温度２０℃で「曇・雨」が選択されている場合は、モード〈４〉が選択され、乾燥１時間運転の後、換気〈弱〉の２４時間連続換気に切り替わる。このように、浴室１内の温度やそのときの選択した湿度情報に応じて適切な運転モードが選択されて運転が行われる。なお、２４時間連続換気モードがオフの場合は、運転合計時間が所定時間（例えば１０時間）に達するまで２４時間連続換気風量と同じ換気〈弱〉の換気運転を行った後、自動停止する。
【図面の簡単な説明】
【００１２】
【図１】本発明の実施の形態の一例の全体の横断面図である。
【図２】同上の操作パネルの正面図である。
【図３】同上のかびシャットモードでの運転を説明する説明図である。
【符号の説明】
【００１３】
１  浴室  
２  浴室換気装置
４  操作パネル
５  温度センサー
６  湿度選択スイッチ
【図１】
2005156014.tif 000003
【図２】
2005156014.tif 000004
【図３】
2005156014.tif 000005